(57)【要約】【課題】  携帯電話端末などの電子機器において、複数のアプリケーション間で異なる認証情報の入力を、簡易かつ安全に行えるようにすることを目的とする。【解決手段】  本発明の携帯電話端末１は、ユーザがインターネットのサイトやアプリケーションの認証情報入力画面１３で一度入力した認証情報を記憶する。次回その認証情報入力画面１３を利用する際には、パスワード入力画面１７においてユーザが予め設定した秘密のパスワードの照合を行い、この照合が成功したときには、記憶された認証情報が認証情報入力画面１３に自動的に入力される。【選択図】        図４
2006059280.tif 000002
【特許請求の範囲】
【請求項１】
第１認証情報並びに認証要求先情報及びこの認証要求先情報に対応付けた第２認証情報を記憶する認証情報格納部と、
認証要求先からの上記第２認証情報要求に応じて入力された入力認証情報が、上記認証情報格納部に記憶した上記第１認証情報と合致するとき、上記認証要求先の上記認証要求先情報に基づいて上記認証情報格納部に記憶した上記第２認証情報を読み出し、当該第２認証情報を上記認証要求先へ出力する制御部とを備えたことを特徴とする電子機器。
【請求項２】
さらに、認証情報格納部には、第１認証情報と認証要求先情報とが対応付けて記憶され、
制御部は、入力認証情報と合致した上記第１認証情報及び認証要求先の上記認証要求先情報に基づいて上記認証情報格納部に記憶した上記第２認証情報を読み出すことを特徴とする請求項１記載の電子機器。
【請求項３】
制御部は、入力認証情報が認証情報格納部に記憶した第１認証情報と合致しないとき、上記入力認証情報を認証要求先へ出力することを特徴とする請求項１記載の電子機器。
【発明の詳細な説明】
【技術分野】
【０００１】
本発明は、電子機器に関するものである。
【背景技術】
【０００２】
昨今、インターネットにおいて、ユーザ名やパスワードの入力を必須とし、無事認証が確認された場合のみアクセスを許可するサイトが増加の一途を辿っている。このような背景の中、サイト毎にユーザ名やパスワードを管理することが非常に煩わしくなってきている。
【０００３】
このような煩わしさを軽減するため、特許文献１では、インターネット上のサイトを閲覧するブラウザから、ユーザ名やパスワードなどを簡易に入力する手段が開示されている。
【特許文献１】特開平１１−３０６１３９号公報
【発明の開示】
【発明が解決しようとする課題】
【０００４】
従来の方式では、携帯電話端末やパーソナルコンピュータのブラウザなどでユーザ名やパスワードなどを記憶するため、同じ機器（携帯電話端末やパーソナルコンピュータ）を使用する権限さえあれば、第三者が悪意をもって他人のユーザ名やパスワード情報を利用することができ、セキュリティ上問題があった。
【０００５】
本発明は、従来技術よりもセキュリティ性を向上しつつ、異なるユーザ名やパスワードなどの認証情報を管理する煩わしさを軽減することを目的とする。
【課題を解決するための手段】
【０００６】
本発明の電子機器は、
第１認証情報並びに認証要求先情報及びこの認証要求先情報に対応付けた第２認証情報を記憶する認証情報格納部と、
認証要求先からの上記第２認証情報要求に応じて入力された入力認証情報が、上記認証情報格納部に記憶した上記第１認証情報と合致するとき、上記認証要求先の上記認証要求先情報に基づいて上記認証情報格納部に記憶した上記第２認証情報を読み出し、当該第２認証情報を上記認証要求先へ出力する制御部とを備えたことを特徴とする。
【発明の効果】
【０００７】
本発明により、従来技術よりもセキュリティ性を向上しつつ、多数のユーザ名やパスワードなどの認証情報を管理する煩わしさを軽減することができる。
【発明を実施するための最良の形態】
【０００８】
以下、本発明の実施の形態を図に基づいて説明する。なお、下記実施の形態１及び実施の形態２では、各実施の形態に係る電子機器として携帯電話端末を例に説明するが、ＰＤＡ（Ｐｅｒｓｏｎａｌ  Ｄｉｇｉｔａｌ  Ａｓｓｉｓｔａｎｔ）、パーソナルコンピュータなど、他の電子機器にも適用可能である。
【０００９】
実施の形態１．
図１は、本実施の形態に係る携帯電話端末１の構成を表すブロック図である。
【００１０】
操作部２は例えば数字キーとして実装され、ユーザの入力した情報をＣＰＵ（Ｃｅｎｔｒａｌ  Ｐｒｏｃｅｓｓｉｎｇ  Ｕｎｉｔ）やＯＳ（Ｏｐｅｒａｔｉｎｇ  Ｓｙｓｔｅｍ）によって構成される制御部３に伝達する。一方、表示部９は例えば液晶ディスプレイとして実装され、制御部３で設定された画面を表示する。
【００１１】
不揮発性メモリに実装される認証情報格納部５には、サイトやアプリケーションに関する情報、並びに操作部２を介して入力されたユーザ名やパスワードなどの認証情報が格納される。認証情報管理部４はプログラムであり、制御部３の命令を基に認証情報格納部５内のデータの検索、読み取り、書き込みなどを行う。
【００１２】
入力部６、実行部７、出力部８はプログラムであり、ブラウザやその他のアプリケーションを実行する。アプリケーションへの入力データは、制御部３から入力部６を介して実行部７に入力され、実行部７において処理される。アプリケーションの出力データは、実行部７から出力部８を介して制御部３に出力される。
【００１３】
アンテナや無線通信回路などで構成される通信部１０は、ユーザがインターネットのサイトを閲覧するなど、外部との通信を行う際に信号の送受信を行う。
【００１４】
不揮発性メモリに実装される暗号格納部１２には、認証情報格納部５に格納される認証情報に対応する暗証記号として、秘密のパスワードが記憶される。秘密のパスワードとは、携帯電話端末１内部のみで有効なパスワード文字列であり、操作部２を介してユーザによる変更も可能である。ただし、暗証記号は秘密のパスワードに限定されず、個人の認証に利用できるものであれば、指紋や虹彩といった生体情報などでも実現可能である。暗号管理部１１はプログラムであり、制御部３の命令を基に暗号格納部１２内のデータの検索、読み取り、書き込みなどを行う。
【００１５】
図２は、本実施の形態において、認証情報格納部５に格納される認証情報テーブルである。認証情報テーブルには、ブラウザでアクセスしたサイトのＵＲＬ（Ｕｎｉｆｏｒｍ  Ｒｅｓｏｕｒｃｅ  Ｌｏｃａｔｏｒ）や起動したアプリケーションの情報、並びにそれぞれのサイトやアプリケーションが認証を要求したときに入力されたユーザ名やパスワードといった認証情報がそれぞれ格納されている。
【００１６】
図３（Ａ）は、表示部９が表示する認証情報入力画面１３、図３（Ｂ）は、表示部９が表示するパスワード入力画面１７、図３（Ｃ）は、パスワード入力画面１７で入力された秘密のパスワードの検索結果を反映した認証情報入力画面１３である。また、図４は、本実施の形態において制御部３が行う認証情報入力処理を示すフローチャートである。
【００１７】
インターネットのサイトを表示したとき、もしくはアプリケーションを起動したときなどに、出力部８を介して、ユーザ名やパスワードなどの認証情報の入力を要求されると（ステップ１）、表示部９は、図３（Ａ）に示すような認証情報入力画面１３を表示する（ステップ２）。認証情報入力画面１３は、ユーザ名の入力を受け付けるユーザ名テキストボックス１４、パスワードの入力を受け付けるパスワードテキストボックス１５、受け付けたユーザ名とパスワードを当該サイトもしくはアプリケーションに送信する接続ボタン１６から構成される。
【００１８】
次に、操作部２は、秘密のパスワードの入力を受け付ける（ステップ３）。制御部３は、この秘密のパスワードと、暗号管理部１１が暗号格納部１２から取得した秘密のパスワード（ステップ４）とが一致するか確認する（ステップ５）。一致していれば、制御部３の命令により、認証情報管理部４が認証情報格納部５内を検索する（ステップ６）。検索の結果、該当するサイト又はアプリケーションに対応する認証情報が存在する場合（ステップ７）、認証情報管理部４が認証情報格納部５から取得した認証情報のユーザ名、パスワードを（ステップ８）、図３（Ｃ）のようにそれぞれユーザ名テキストボックス１４、パスワードテキストボックス１５に入力部６より入力する。操作部２が接続ボタン１６の押下を感知すると、制御部３は、入力部６を介して上記サイトもしくはアプリケーションに認証情報を送信し（ステップ１６）、上記サイトもしくはアプリケーションで認証処理が行われる。ステップ７で、該当するサイト又はアプリケーションに対応する認証情報を取得できなかった場合、表示部９は、再度認証情報入力画面１３を表示し、秘密のパスワード又は認証情報の入力をユーザに促す（ステップ２）。
【００１９】
一方、ステップ５で、ユーザが入力した秘密のパスワードと、暗号管理部１１が暗号格納部１２から取得した秘密のパスワードとが一致しない場合、制御部３は、ステップ３で操作部２が受け付けた入力を認証情報であると認識する。そして、表示部９は、ユーザにこの認証情報を登録するか確認する画面を表示する（ステップ９）。制御部３は、操作部２からのユーザの入力を受けて（ステップ１０）、ユーザに登録の意思があるか判断する（ステップ１１）。
【００２０】
ユーザに認証情報の登録を行う意思がない場合、ステップ３で入力された認証情報のユーザ名、パスワードを、図３（Ｃ）のようにそれぞれユーザ名テキストボックス１４、パスワードテキストボックス１５に入力部６より入力する。操作部２が接続ボタン１６の押下を感知すると、制御部３は、入力部６を介して上記サイトもしくはアプリケーションに認証情報を送信し（ステップ１６）、上記サイトもしくはアプリケーションで認証処理が行われる。
【００２１】
ユーザに認証情報の登録を行う意思がある場合、表示部９は、パスワード入力画面１７を表示する（ステップ１２）。図３（Ｂ）のように、表示部９がパスワード入力画面１７を表示中に、操作部２は秘密のパスワードの入力を受け付ける（ステップ１３）。操作部２が、パスワード入力画面１７を閉じる、所定のキーを押すなど、暗証記号入力を終了するための所定の操作を感知すると、制御部３は、この秘密のパスワードと、ステップ４で暗号管理部１１が暗号格納部１２から取得した秘密のパスワードとが一致するか確認する（ステップ１４）。一致していれば、ステップ３でユーザが入力したユーザ名、パスワードといった認証情報は認証情報格納部５に記憶される（ステップ１５）。そして、制御部３は、ステップ３で入力された認証情報のユーザ名、パスワードを、図３（Ｃ）のようにそれぞれユーザ名テキストボックス１４、パスワードテキストボックス１５に入力部６より入力する。操作部２が接続ボタン１６の押下を感知すると、制御部３は、入力部６を介して上記サイトもしくはアプリケーションに認証情報を送信し（ステップ１６）、上記サイトもしくはアプリケーションで認証処理が行われる。
【００２２】
上記ステップ８で、ユーザ名、パスワードを自動入力した認証情報入力画面１３を図３（Ｃ）のように表示せず、図３（Ａ）と同様の画面を保持するか、或いは別の画面を表示する形態も可能である。さらに、制御部３は、操作部２が接続ボタン１６の押下を感知するまで待たず、自動的に入力部６を介して上記サイトもしくはアプリケーションに認証情報を送信してもよい（ステップ１６）。
【００２３】
図３（Ｃ）のユーザ名とパスワードを表示せずに接続処理を行うようにすると、ユーザ名とパスワードの桁数がわかる状態で表示されてしまうことを防ぐことができる。従って、画面を第三者から盗み見された場合でも、ユーザ名やパスワード桁数などの情報を第三者に知られることなく、認証情報を入力することが可能となり、セキュリティ性が向上する。
【００２４】
以上のように、本実施の形態に係る携帯電話端末１では、インターネットサイトやアプリケーション毎に異なる認証情報をユーザに入力させる必要がない。一度入力された認証情報は、次回のそのサイトやアプリケーションの利用時に、ＵＲＬなどのサイトに関連する情報や、携帯電話端末１の機能メニュー項目番号などのアプリケーションに関連する情報を基に認証情報テーブルから取得され、自動的に入力される。従って、セキュリティ性を確保しつつ、ユーザにとって簡易な方法でサイトやアプリケーションにアクセスすることが可能となる。また、サイトやアプリケーション毎に異なる認証情報をユーザ自身が管理する必要がなくなるので、認証情報を管理する煩わしさを軽減することができる。
【００２５】
実施の形態２．
図５は、本実施の形態に係る携帯電話端末１の構成を表すブロック図である。
【００２６】
不揮発性メモリに実装される認証情報格納部５には、サイトやアプリケーションに関する情報、並びに操作部２を介して入力されたユーザ名やパスワードなどの認証情報が格納される。さらに、認証情報格納部５には、この認証情報に対応する暗証記号として、秘密のパスワードが記憶される。認証情報管理部４はプログラムであり、制御部３の命令を基に認証情報格納部５内のデータの検索、読み取り、書き込みなどを行う。
【００２７】
その他に図５に示す各部は、実施の形態１と同様の機能を備える。
【００２８】
図６は、本実施の形態において、認証情報格納部５に格納される認証情報テーブルである。ブラウザでアクセスしたサイトのＵＲＬ（Ｕｎｉｆｏｒｍ  Ｒｅｓｏｕｒｃｅ  Ｌｏｃａｔｏｒ）や起動したアプリケーションの情報、並びにそれぞれのサイトやアプリケーションが認証を要求したときに入力されたユーザ名やパスワードといった認証情報と、各認証情報に対応する暗証記号が格納される。
【００２９】
図７は、本実施の形態において、制御部３が行う認証情報入力処理を示すフローチャートである。
【００３０】
インターネットのサイトを表示したとき、もしくはアプリケーションを起動したときなどに、出力部８を介して、ユーザ名やパスワードなどの認証情報の入力を要求されると（ステップ１７）、表示部９は、図３（Ａ）に示すような認証情報入力画面１３を表示する（ステップ１８）。認証情報入力画面１３は、ユーザ名の入力を受け付けるユーザ名テキストボックス１４、パスワードの入力を受け付けるパスワードテキストボックス１５、受け付けたユーザ名とパスワードを当該サイトもしくはアプリケーションに送信する接続ボタン１６から構成される。
【００３１】
次に、操作部２は、秘密のパスワードの入力を受け付ける（ステップ１９）。この秘密のパスワードが登録されているか確認するため、制御部３の命令により、認証情報管理部４が認証情報格納部５内を検索する（ステップ２０）。この秘密のパスワードが存在する場合（ステップ２１）、認証情報管理部４は、この秘密のパスワードに対応する認証情報を認証情報格納部５内で検索する（ステップ２２）。検索の結果、該当するサイト又はアプリケーションに対応する認証情報が存在する場合（ステップ２３）、認証情報格納部５から該当するサイト又はアプリケーションに対応する認証情報を取得する（ステップ２４）。制御部３は、取得した認証情報のユーザ名、パスワードを、図３（Ｃ）のようにそれぞれユーザ名テキストボックス１４、パスワードテキストボックス１５に入力部６より入力する。操作部２が接続ボタン１６の押下を感知すると、制御部３は、入力部６を介して上記サイトもしくはアプリケーションに認証情報を送信し（ステップ３１）、上記サイトもしくはアプリケーションで認証処理が行われる。ステップ２３で、秘密のパスワード及び該当するサイト又はアプリケーションに対応する認証情報を取得できなかった場合、表示部９は、再度認証情報入力画面１３を表示し、秘密のパスワード又は認証情報の入力をユーザに促す（ステップ１８）。
【００３２】
一方、ステップ１９で、ユーザが入力した秘密のパスワードが、認証情報格納部５内に存在しない場合、制御部３は、ステップ１９で操作部２が受け付けた入力を認証情報であると認識する。そして、表示部９は、ユーザにこの認証情報を登録するか確認する画面を表示する（ステップ２５）。制御部３は、操作部２からのユーザの入力を受けて（ステップ２６）、ユーザに登録の意思があるか判断する（ステップ２７）。
【００３３】
ユーザに認証情報の登録を行う意思がない場合、ステップ１９で入力された認証情報のユーザ名、パスワードを、図３（Ｃ）のようにそれぞれユーザ名テキストボックス１４、パスワードテキストボックス１５に入力部６より入力する。操作部２が接続ボタン１６の押下を感知すると、制御部３は、入力部６を介して上記サイトもしくはアプリケーションに認証情報を送信し（ステップ３１）、上記サイトもしくはアプリケーションで認証処理が行われる。
【００３４】
ユーザに認証情報の登録を行う意思がある場合、表示部９は、パスワード入力画面１７を表示する（ステップ２８）。図３（Ｂ）のように、表示部９がパスワード入力画面１７を表示中に、操作部２は秘密のパスワードの入力を受け付ける（ステップ２９）。操作部２が、パスワード入力画面１７を閉じる、所定のキーを押すなど、暗証記号入力を終了するための所定の操作を感知すると、ユーザが入力したユーザ名、パスワードといった認証情報は、入力された秘密のパスワードと対応付けて認証情報格納部５に記憶される（ステップ３０）。そして、制御部３は、ステップ１９で入力された認証情報のユーザ名、パスワードを、図３（Ｃ）のようにそれぞれユーザ名テキストボックス１４、パスワードテキストボックス１５に入力部６より入力する。操作部２が接続ボタン１６の押下を感知すると、制御部３は、入力部６を介して上記サイトもしくはアプリケーションに認証情報を送信し（ステップ３１）、上記サイトもしくはアプリケーションで認証処理が行われる。
【００３５】
上記ステップ２４で、ユーザ名、パスワードを自動入力した認証情報入力画面１３を図３（Ｃ）のように表示せず、図３（Ａ）と同様の画面を保持するか、或いは別の画面を表示する形態も可能である。さらに、制御部３は、操作部２が接続ボタン１６の押下を感知するまで待たず、自動的に入力部６を介して上記サイトもしくはアプリケーションに認証情報を送信してもよい（ステップ３１）。
【００３６】
図３（Ｃ）のユーザ名とパスワードを表示せずに接続処理を行うようにすると、ユーザ名とパスワードの桁数がわかる状態で表示されてしまうことを防ぐことができる。従って、画面を第三者から盗み見された場合でも、ユーザ名やパスワード桁数などの情報を第三者に知られることなく、認証情報を入力することが可能となり、セキュリティ性が向上する。
【００３７】
以上のように、本実施の形態に係る携帯電話端末１では、予め設定された暗証記号の照合が成功して初めてユーザ名やパスワードが入力されるので、多人数で共通して使用する機器のアプリケーションにおいて、他人のなりすまし行為を防止することが可能である。
【００３８】
また、携帯電話端末１を複数のユーザが使用する場合でも、従来方式の利用形態と秘密のパスワードを用いた簡易な入力を可能とする形態との共存が実現できる。例えば、家族で使用する場合など、本人は秘密のパスワードで簡易に認証情報を入力し、他の家族は従来通りユーザ名やパスワードをキー入力するといったことが可能となる。
【００３９】
本実施の形態では、さらに、操作部２から秘密のパスワードの変更を受け付け、制御部３が、この変更を基に認証情報管理部４を介して認証情報格納部５の秘密のパスワードを設定する形態が可能である。認証情報テーブルに格納されている秘密のパスワードを定期的にユーザが変更できるようにすることで、第三者の悪意を持った使用に対して、セキュリティ性が向上する。
【００４０】
このように、上記実施の形態で説明した電子機器は、ユーザが予め決めておいた秘密のパスワードを入力すると文字入力装置が自動的もしくは手動操作により、サイトやアプリケーションで入力されたユーザ名、パスワード等が自動的に入力されることを特徴とする。ユーザが予め設定した秘密のパスワード照合が成功してはじめてユーザ名やパスワードが入力されるので、多人数で使用するパーソナルコンピュータのブラウザなどのような形態において、他人のなりすまし防止などに効果的である。さらに、秘密のパスワードはサイトやアプリケーション毎に持つものではなく、ユニークに１つだけもつので、異なるサイトで異なるユーザ名、パスワードを入力する必要があっても、共通の秘密のパスワードを入力すればユーザ名、パスワードを入力することが可能となり、サイトやアプリケーション毎に異なるユーザ名、パスワードなどを管理する必要がなくなる。具体的な使用イメージは下記の通りである。
あるサイトでユーザ名、パスワードの入力を求められている。
ユーザ名入力フィールドで文字入力画面を起動する。
文字入力画面で秘密のパスワードを入力する。
文字入力画面を閉じる。
文字入力画面を閉じるタイミングで秘密のパスワード、サイトのＵＲＬ情報を参照し、過去に入力されたか否か検索をおこなう。
検索の結果、サイト情報、秘密のパスワードが合致した場合、過去に入力したユーザ名、パスワードをブラウザに渡してユーザ名、パスワードがそれぞれのテキスト領域に表示された状態でユーザ名、パスワード入力画面へ復帰する。
接続ボタンを押下し、サーバ側へ認証の接続処理をおこなう。
【００４１】
また、上記機能において、ユーザ名やパスワード情報等を画面に表示せずブラウザやアプリケーションへそのままデータを渡すことを特徴とする。画面に表示しないことによって、他人がユーザ名やパスワードの桁数などを把握することができないため、盗み見などからの秘匿性を高める効果が期待される。具体的な使用イメージは下記の通りである。
あるサイトでユーザ名、パスワードの入力を求められている。
ユーザ名入力フィールドで文字入力画面を起動する。
文字入力画面で秘密のパスワードを入力する。
文字入力画面を閉じる。
パスワード領域は入力しないまま（入力しても構わない）、サーバへの接続ボタンを押下する。
接続ボタンが押下されたタイミングで秘密のパスワード、サイトのＵＲＬ情報を参照し、過去に入力されたか否か検索をおこなう。
検索の結果、サイト情報、秘密のパスワードが合致した場合、過去に入力したユーザ名、パスワードをブラウザに渡し、ブラウザは受け取ったユーザ名、パスワードをサーバ側へ情報を送信する。つまり、画面上には正しいユーザ名、パスワードが表示されないままサーバ側へ接続することが可能となる。一方、サイト情報や秘密のパスワードが合致しなければ、ユーザによって入力されたユーザ名等の情報がそのままサーバ側へ通知される。
【００４２】
また、上記機能において、秘密のパスワード以外の文字列であった場合は通常のパスワードや文字列として処理されることを特徴とする。家族で使用する場合など、本人は秘密のパスワードで簡易にログインし、他の家族は通常通りユーザ名やパスワードを入力してログインするといった利用が可能となる。
【００４３】
また、上記機能において、秘密のパスワードはユーザが任意のタイミングで任意の文字列に設定することを特徴とする。セキュリティの観点から複数サイトのパスワードなどを変更したい場合なども、複数サイトのパスワードを変更することなく、端末側で管理された秘密のパスワードを変更するだけで、簡易にセキュリティを確保することができる。
【００４４】
前述した各実施の形態で、携帯電話端末１は、プログラムを実行するＣＰＵを備えている。
【００４５】
例えば、ＣＰＵは、バスを介して、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信ボード、表示装置、Ｋ／Ｂ（キーボード）、マウス、ＦＤＤ（Ｆｌｅｘｉｂｌｅ  Ｄｉｓｋ  Ｄｒｉｖｅ）、ＣＤＤ（コンパクトディスクドライブ）、磁気ディスク装置、光ディスク装置、プリンタ装置、スキャナ装置等と接続されている。
【００４６】
ＲＡＭは、揮発性メモリの一例である。ＲＯＭ、ＦＤＤ、ＣＤＤ、磁気ディスク装置、光ディスク装置は、不揮発性メモリの一例である。これらは、記憶装置或いは記憶部の一例である。
【００４７】
前述した各実施の形態の携帯電話端末１が扱うデータや情報は、記憶装置或いは記憶部に保存され、携帯電話端末１の各部により、記録され読み出されるものである。
【００４８】
また、通信ボードは、例えば、ＬＡＮ、インターネット、或いはＩＳＤＮ等のＷＡＮ（ワイドエリアネットワーク）に接続されている。
【００４９】
磁気ディスク装置には、オペレーティングシステム（ＯＳ）、ウィンドウシステム、プログラム群、ファイル群（データベース）が記憶されている。
プログラム群は、ＣＰＵ、ＯＳ、ウィンドウシステムにより実行される。
【００５０】
上記携帯電話端末１の各部は、一部或いはすべてコンピュータで動作可能なプログラムにより構成しても構わない。或いは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
【００５１】
上記プログラム群には、実施の形態の説明において「〜部」として説明した処理をＣＰＵに実行させるプログラムが記憶される。これらのプログラムは、例えば、Ｃ言語やＨＴＭＬやＳＧＭＬやＸＭＬなどのコンピュータ言語により作成される。
【００５２】
また、上記プログラムは、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記憶され、ＣＰＵにより読み出され実行される。
【図面の簡単な説明】
【００５３】
【図１】実施の形態１に係る携帯電話端末の構成を表すブロック図。
【図２】実施の形態１における認証情報テーブル。
【図３】認証情報入力画面及びパスワード入力画面。
【図４】実施の形態１に係る携帯電話端末の制御部が行う認証情報入力処理を示すフローチャート。
【図５】実施の形態２に係る携帯電話端末の構成を表すブロック図。
【図６】実施の形態２における認証情報テーブル。
【図７】実施の形態２に係る携帯電話端末の制御部が行う認証情報入力処理を示すフローチャート。
【符号の説明】
【００５４】
１  携帯電話端末（電子機器）、２  操作部、３  制御部、４  認証情報管理部、５  認証情報格納部、６  入力部、７  実行部、８  出力部、９  表示部、１０  通信部、１１  暗号管理部、１２  暗号格納部、１３  認証情報入力画面、１４  ユーザ名テキストボックス、１５  パスワードテキストボックス、１６  接続ボタン、１７  パスワード入力画面。
【図１】
2006059280.tif 000003
【図２】
2006059280.tif 000004
【図３】
2006059280.tif 000005
【図４】
2006059280.tif 000006
【図５】
2006059280.tif 000007
【図６】
2006059280.tif 000008
【図７】
2006059280.tif 000009